(57)【要約】【課題】簡単な構成で遊技媒体の循環による補給の煩雑作業を防止しつつ不正の認識が容易な遊技システムを提供する。【解決手段】遊技装置３００の投入孔から投入したコインを貯留するとともに、遊技の実行結果に対応してコインを払い出す第１貯留部３２０から貯留限界を超えて投入したコインをオーバーフローさせ、遊技装置３００に対応して島構造体２００に設けた循環手段５００の貯留ホッパ５１０で回収して貯留する。島構造体２００に遊技装置３００と対をなして並設する遊技媒体貸出装置４００のコイン貸出機の貯留量が所定量以下となったことを循環手段５００が認識すると、貯留ホッパ５１０に貯留するコインをコイン貸出機へ返送して補給する。遊技者の心証を害せずに補給でき、特別なシステムを用いずに不正を監視可能となる。【選択図】  図１
2005000591.tif 000002
【特許請求の範囲】
【請求項１】
遊技媒体を貸し出す遊技媒体貸出装置と前記遊技媒体を用いて遊技されその遊技の内容が正面側に視認可能な遊技装置とを対をなして略並列に複数設置する島構造体に設置される遊技媒体搬送装置であって、
遊技の実行のために投入される前記遊技媒体を貯留するとともに遊技の実行結果に基づいて貯留する前記遊技媒体を適宜排出する前記遊技装置に設けられた貯留手段からオーバーフローする前記遊技媒体を回収して貯留する貯留部と、
この貯留部に貯留される前記遊技媒体を前記遊技媒体貸出装置へ適宜搬送する搬送手段と、
を具備したことを特徴とした遊技媒体搬送装置。
【請求項２】
請求項１に記載の遊技媒体搬送装置であって、
前記島構造体は、対をなす前記遊技装置および前記遊技媒体貸出装置を曲面上に略並列に設置する曲面構造物である
ことを特徴とした遊技媒体搬送装置。
【請求項３】
請求項１または請求項２に記載の遊技媒体搬送装置であって、
前記貯留部は、前記島構造体内の前記遊技装置の貯留手段の下方に位置して配設され、
前記搬送手段は、前記貯留部に貯留する遊技媒体を上方へ搬送するコンベアで、前記島構造体に設置された前記遊技媒体貸出装置と隣接する他の遊技装置との間に配設され、上端部に搬送した前記遊技媒体を前記遊技媒体貸出装置へ供給する補給シュート部を有した
ことを特徴とした遊技媒体搬送装置。
【請求項４】
請求項１ないし請求項３のいずれかに記載の遊技媒体搬送装置であって、
前記搬送手段は、前記遊技媒体貸出装置に設けられ貯留する前記遊技媒体の量に関する信号を出力する検出手段から前記遊技媒体の貯留する量が所定量以下である旨の信号を認識すると前記遊技媒体を搬送する
ことを特徴とした遊技媒体搬送装置。
【請求項５】
遊技媒体を貸し出す遊技媒体貸出装置と、前記遊技媒体を用いて遊技されその遊技の内容が正面側に視認可能な遊技装置と、前記遊技媒体貸出装置および前記遊技装置を複数対で略並列に設置する島構造体と、を備えた遊技システムであって、
前記遊技媒体貸出装置は、前記島構造体に取り付けられるケース体と、このケース体に設けられ貨幣が投入される貨幣投入孔と、前記ケース体内に収容され前記遊技媒体を貯留し前記貨幣投入孔から前記貨幣が投入されると前記遊技媒体を排出させる貸出貯留部と、を備え、
前記遊技装置は、前記島構造体に取り付けられる筐体と、この筐体内に前記遊技の内容がこの筐体の正面側に視認可能に収容され遊技を実行する遊技ユニットと、前記筐体に設けられ前記遊技媒体が投入される投入孔と、前記筐体に設けられ前記遊技媒体が排出される排出口と、前記筐体内に収容され前記投入孔から投入された前記遊技媒体を貯留するとともに前記遊技ユニットにより遊技が実行された結果に基づいて貯留する前記遊技媒体を前記排出口から排出する貯留手段と、を備え、
前記島構造体に前記遊技装置に対応して複数設置され、前記遊技装置の貯留手段からオーバーフローする前記遊技媒体を貯留するとともに、貯留する前記遊技媒体を前記遊技媒体貸出装置の貸出貯留部に適宜搬送する遊技媒体搬送装置を具備した
ことを特徴とした遊技システム。
【請求項６】
遊技媒体を貸し出す遊技媒体貸出装置と、
前記遊技媒体を用いて遊技されその遊技の内容が正面側に視認可能な遊技装置と、
前記遊技媒体貸出装置および前記遊技装置を対をなして略並列に複数設置する島構造体と、
この島構造体に前記遊技装置に対応して複数設置された請求項１ないし請求項４のいずれかに記載の遊技媒体搬送装置と、
を具備したことを特徴とした遊技システム。
【請求項７】
請求項５または請求項６に記載の遊技システムであって、
前記遊技媒体搬送装置は、貯留可能量を超えて前記貯留手段からオーバーフローする前記遊技媒体を排出する排出手段を有し、
前記島構造体に設置され、前記遊技媒体搬送装置の排出手段からそれぞれオーバーフローする前記遊技媒体を回収する複数の回収手段と、これら回収手段で回収した前記遊技媒体を取得して前記島構造体の１箇所へ搬送する回収コンベアとを備えた島回収手段を具備した
ことを特徴とした遊技システム。
【発明の詳細な説明】
【０００１】
【発明の属する技術分野】
本発明は、遊技装置および遊技媒体貸出装置が対をなして略並列に複数設置する島構造体に設置される遊技媒体搬送装置および遊技システムに関する。
【０００２】
【背景技術】
従来、例えば一般的に「パチスロ」と称される回胴式遊技機や、いわゆるスロットマシンなどの遊技装置は、娯楽設備として広く知られている。そして、従来の遊技装置は、例えば遊技装置に隣接して設けられた遊技媒体であるコインを貸し出す貸出装置からコインを借り受け、このコインをコイン投入孔より投入すると遊技可能状態となる。この遊技可能状態で所定のボタンスイッチやジョイスティックなどが操作されると、外周面に各種絵柄が設けられたリールが回転する。そして、所定のボタンスイッチを操作することで、回転するリールを停止させ、絵柄の並び状態で適宜コインが払い出される構成となっている。この遊技装置において、遊技に利用されたコインなどの遊技媒体を適宜貸出装置に搬送する構成を設けた構成が知られている（例えば、特許文献１および特許文献２）。
【０００３】
特許文献１に記載のものは、２台の遊技装置間に貸出装置を配置させ、遊技装置からオーバーフローする遊技媒体を適宜回収して遊技装置や貸出装置に返送する貯留補給部を備えた構成が採られている。この遊技媒体を２台の遊技装置と貸出装置で循環させる循環システムの構成において、遊技装置には、遊技のために投入される遊技媒体を回収するとともに遊技の実行結果に基づいて適宜遊技媒体を排出させる貯留ホッパが設けられている。この貯留ホッパには、貯留する遊技媒体の残量を検出する検出器が設けられている。また、貸出装置には、遊技媒体を貯留し貨幣の投入により遊技媒体を排出する払出装置を備えているとともに、遊技者が投入口から投入した遊技媒体を計数する計数機が設けられている。なお、払出装置には、貯留する遊技媒体の残量を検出する検出器が設けられている。
【０００４】
また、貯留補給部は、遊技装置の貯留ホッパからオーバーフローする遊技媒体や、貸出装置の計数機にて計数した遊技媒体を貯留する貯留タンクを備えている。また、貯留補給部は、貯留タンクに貯留する遊技媒体を遊技装置の貯留ホッパや貸出装置の払出装置へ適宜返送する補給路を備えている。そして、循環システムは、検出器にて検出する残量に基づいて、貯留補給部の貯留タンクに貯留する遊技媒体を、補給路を介して適宜遊技装置の貯留ホッパや貸出装置の払出装置へ返送し、２台の遊技装置および貸出装置で遊技媒体を循環させて、遊技媒体を別途回収あるいは補給する煩雑な作業を防止している。
【０００５】
しかしながら、この特許文献１に記載のものは、遊技の結果に基づいて払い出された遊技媒体を２台の遊技装置間に設けた遊技媒体貸出機で計数して回収させ、遊技媒体貸出機と２台の遊技装置との間で遊技媒体を循環させているので、例えば不正により遊技装置から遊技媒体を払い出させた場合、払い出された遊技媒体は循環されるため、計数されたデータを監視しなければ不正行為を検出できない。そして、このデータの監視は、電子制御による演算処理などの監視システムを設ける必要があり、多大な設備コストの負荷が生じる問題がある。
【０００６】
一方、特許文献２に記載のものは、遊技装置と遊技媒体貸出機とを一体に設けた単独島の構成が採られている。この単独島は、遊技のために遊技装置に投入された遊技媒体を貯留する補給機が設けられている。この補給機には、貯留する遊技媒体を供給機に搬送するリフタが設けられている。供給機には、遊技装置および遊技媒体貸出機にそれぞれ貯留する遊技媒体の量を検出して所定定量よりも少なくなったことを認識すると、遊技装置や遊技媒体貸出機に対して貯留する遊技媒体を切り替えて供給する切替機構を設けている。
【０００７】
しかしながら、この特許文献２に記載のものは、比較的に内部スペースの確保が容易な単独島の構成であり、例えば回胴式遊技装置で一般的に利用される構成である島構造にも適用することは考えられるが、複数の遊技装置に電源を供給するための構成などが複雑に配設される島構造にそのまま適用するのは困難である。
【０００８】
【特許文献１】
特開平６−３９１３８号公報（第３頁右欄−第６頁左欄）
【特許文献２】
特開平１１−７６４９６号公報（第３頁右欄−第６頁左欄）
【０００９】
【発明が解決しようとする課題】
上述したように、特許文献１に記載のものは、払い出した遊技媒体を計数して回収し循環させるため、不正による払出を容易に認識することが困難である。また、特許文献２に記載のものは、単独島の構成であり、単に島構造に適用することは困難である。
【００１０】
本発明は、このような点に鑑みて、簡単な構成で遊技媒体の循環による補給の煩雑作業を防止しつつ不正の認識が容易となる遊技媒体搬送装置および遊技システムを提供することを目的とする。
【００１１】
【課題を解決するための手段】
請求項１に記載の発明は、遊技媒体を貸し出す遊技媒体貸出装置と前記遊技媒体を用いて遊技されその遊技の内容が正面側に視認可能な遊技装置とを対をなして略並列に複数設置する島構造体に設置される遊技媒体搬送装置であって、遊技の実行のために投入される前記遊技媒体を貯留するとともに遊技の実行結果に基づいて貯留する前記遊技媒体を適宜排出する前記遊技装置に設けられた貯留手段からオーバーフローする前記遊技媒体を回収して貯留する貯留部と、この貯留部に貯留される前記遊技媒体を前記遊技媒体貸出装置へ適宜搬送する搬送手段と、を具備したことを特徴とした遊技媒体搬送装置である。
【００１２】
この発明では、遊技装置に設けられた貯留手段にて、遊技装置における遊技の実行のために投入される遊技媒体を貯留するとともに遊技の実行結果に基づいて貯留する遊技媒体を適宜排出させる。貯留手段にて貯留限界を超えて投入される遊技媒体はオーバーフローし、貯留部にて回収して貯留し、搬送手段にて貯留部に貯留する遊技媒体を遊技媒体貸出装置へ適宜搬送する。このことにより、遊技のための遊技媒体貸出装置からの貸出量が増大して貯留量が減少しても、貯留手段からオーバーフローした遊技媒体が搬送手段にて搬送されて補給され、遊技媒体を補充する手間が省略され、貯留手段からの排出量が増大して貯留手段に補給する場合、遊技者の心証を害することなく補充でき、不正により異常にコインが排出されることを監視することが可能となり、監視システムなどの特別の構成を設ける必要がなく、遊技媒体を供給する自動化システムにおける不正による島全体の遊技媒体の抜き取りも防止可能となる。
【００１３】
請求項２に記載の発明は、請求項１に記載の遊技媒体搬送装置であって、前記島構造体は、対をなす前記遊技装置および前記遊技媒体貸出装置を曲面上に略並列に設置する曲面構造物であることを特徴とする。
【００１４】
この発明では、対をなす遊技装置および遊技媒体貸出装置を曲面上に略並列に設置する曲面構造物に島構造体を構成する。このことにより、例えば角部に曲面状に配置したり、曲面状の壁面に沿って配置したりするためなど、隣り合う遊技装置間の距離が広く設計される島構造体を用いるため、オーバーフローにて回収した遊技媒体を遊技媒体貸出装置へ搬送して返送する構成の設置が容易となる。
【００１５】
請求項３に記載の発明は、請求項１または請求項２に記載の遊技媒体搬送装置であって、前記貯留部は、前記島構造体内の前記遊技装置の貯留手段の下方に位置して配設され、前記搬送手段は、前記貯留部に貯留する遊技媒体を上方へ搬送するコンベアで、前記島構造体に設置された前記遊技媒体貸出装置と隣接する他の遊技装置との間に配設され、上端部に搬送した前記遊技媒体を前記遊技媒体貸出装置へ供給する補給シュート部を有したことを特徴とする。
【００１６】
この発明では、貯留部を島構造体内で遊技装置の貯留手段の下方に位置して配設し、搬送手段として貯留部に貯留する遊技媒体を上方へ搬送するコンベアを用い、島構造体に配設された遊技媒体貸出装置と隣接する他の遊技装置との間に配設し、上端部に搬送した遊技媒体を補給シュート部にて遊技媒体貸出装置へ供給する。このことにより、複数の遊技装置および遊技媒体貸出装置が設置される島構造体においても、遊技媒体を返送して循環させるための構成が、島構造体内の空間を有効利用して容易に設置される。
【００１７】
請求項４に記載の発明は、請求項１ないし請求項３のいずれかに記載の遊技媒体搬送装置であって、前記搬送手段は、前記遊技媒体貸出装置に設けられ貯留する前記遊技媒体の量に関する信号を出力する検出手段から前記遊技媒体の貯留する量が所定量以下である旨の信号を認識すると前記遊技媒体を搬送することを特徴とする。
【００１８】
この発明では、遊技媒体貸出装置に設けられ貯留する遊技媒体の量に関する信号を出力する検出信号から、遊技媒体の貯留する量が所定量以下である旨の信号を認識すると、搬送手段が遊技媒体を搬送する。このことにより、遊技媒体貸出装置から遊技のために貸し出される遊技媒体の貸出量に対応して遊技媒体が返送される状態となり、不正による遊技媒体の抜き取りを監視可能な状態で遊技媒体の供給が簡単な構成で容易に自動化され、遊技者の心証を害することなく適切な遊技媒体の供給が可能となる。
【００１９】
請求項５に記載の発明は、遊技媒体を貸し出す遊技媒体貸出装置と、前記遊技媒体を用いて遊技されその遊技の内容が正面側に視認可能な遊技装置と、前記遊技媒体貸出装置および前記遊技装置を複数対で略並列に設置する島構造体と、を備えた遊技システムであって、前記遊技媒体貸出装置は、前記島構造体に取り付けられるケース体と、このケース体に設けられ貨幣が投入される貨幣投入孔と、前記ケース体内に収容され前記遊技媒体を貯留し前記貨幣投入孔から前記貨幣が投入されると前記遊技媒体を排出させる貸出貯留部と、を備え、前記遊技装置は、前記島構造体に取り付けられる筐体と、この筐体内に前記遊技の内容がこの筐体の正面側に視認可能に収容され遊技を実行する遊技ユニットと、前記筐体に設けられ前記遊技媒体が投入される投入孔と、前記筐体に設けられ前記遊技媒体が排出される排出口と、前記筐体内に収容され前記投入孔から投入された前記遊技媒体を貯留するとともに前記遊技ユニットにより遊技が実行された結果に基づいて貯留する前記遊技媒体を前記排出口から排出する貯留手段と、を備え、前記島構造体に前記遊技装置に対応して複数設置され、前記遊技装置の貯留手段からオーバーフローする前記遊技媒体を貯留するとともに、貯留する前記遊技媒体を前記遊技媒体貸出装置の貸出貯留部に適宜搬送する遊技媒体搬送装置を具備したことを特徴とした遊技システムである。
【００２０】
この発明では、遊技媒体貸出装置は、貨幣投入孔から貨幣が投入されると貸出貯留部が貯留する遊技媒体を排出する。そして、遊技媒体貸出装置と対をなして略並列に島構造体に設置される遊技媒体の投入孔から遊技媒体が投入され、遊技ユニットによる遊技が実行された結果、投入された遊技媒体を貯留する貯留手段から貯留する遊技媒体を排出口から排出させる。そして、貯留手段にて貯留限界を超えて投入される遊技媒体はオーバーフローし、遊技装置に対応して島構造体に設置した各遊技媒体搬送装置にてそれぞれ回収して貯留し、遊技媒体貸出装置の貸出貯留部へ適宜搬送する。このことにより、遊技のための遊技媒体貸出装置からの貸出量が増大して貯留量が減少しても、貯留手段からオーバーフローした遊技媒体が遊技媒体搬送装置にて搬送されて補給され、遊技媒体を補充する手間が省略され、貯留手段からの排出量が増大して貯留手段に補給する場合、遊技者の心証を害することなく補充でき、不正により異常にコインが排出されることを監視することが可能となり、監視システムなどの特別の構成を設ける必要がなく、遊技媒体を供給する自動化システムにおける不正による島全体の遊技媒体の抜き取りも防止可能となる。
【００２１】
請求項６に記載の発明は、遊技媒体を貸し出す遊技媒体貸出装置と、前記遊技媒体を用いて遊技されその遊技の内容が正面側に視認可能な遊技装置と、前記遊技媒体貸出装置および前記遊技装置を対をなして略並列に複数設置する島構造体と、この島構造体に前記遊技装置に対応して複数設置された請求項１ないし請求項４のいずれかに記載の遊技媒体搬送装置と、を具備したことを特徴とした遊技システムである。
【００２２】
この発明では、遊技媒体貸出装置および遊技装置を対をなして略並列に複数設置する島構造体に、遊技装置に対応して請求項１ないし請求項４のいずれかに記載の遊技媒体搬送装置を複数設置する。このことにより、特別な構成を設けずとも不正を監視可能で遊技媒体の補給作業が遊技者の心証を害することなく可能であるとともに低減できる請求項１ないし請求項４のいずれかに記載の遊技媒体搬送装置を設けるので、遊技装置および遊技媒体貸出装置における遊技媒体の循環が構成され、遊技者の遊技性および管理者の管理性の双方が得られるとともに、島全体の遊技媒体を不正に抜き取られることが防止可能となる。
【００２３】
請求項７に記載の発明は、請求項５または請求項６に記載の遊技システムであって、前記遊技媒体搬送装置は、貯留可能量を超えて前記貯留手段からオーバーフローする前記遊技媒体を排出する排出手段を有し、前記島構造体に設置され、前記遊技媒体搬送装置の排出手段からそれぞれオーバーフローする前記遊技媒体を回収する複数の回収手段と、これら回収手段で回収した前記遊技媒体を取得して前記島構造体の１箇所へ搬送する回収コンベアとを備えた島回収手段を具備したことを特徴とする。
【００２４】
この発明では、遊技媒体搬送装置に貯留可能量を超えて遊技装置の貯留手段からオーバーフローする遊技媒体を排出する排出手段を設け、遊技装置に対応して設けた各遊技媒体搬送装置の排出手段からオーバーフローする遊技媒体を、島構造体に設置した島回収手段の複数の回収手段にてそれぞれ回収し、各回収手段にて回収した遊技媒体を回収コンベアにて取得して島構造体の１箇所へ搬送する。このことにより、仮に他の遊技装置から遊技媒体が持ち込まれて貯留可能量を超えて遊技媒体が投入されても、島回収手段にて島構造体の１箇所で回収することで、遊技者の心証を害することなく遊技媒体を回収し、補給する場合には１箇所に回収した遊技媒体を利用すればよく、不正の監視が可能な簡単な構成で遊技媒体の補給・回収性が向上する。
【００２５】
【発明の実施の形態】
以下、本発明における一実施の形態として遊技システムについて図面を参照して説明する。なお、本実施の形態では、いわゆる「パチスロ」と称される回胴式遊技装置を用いて説明するが、本発明は、回胴式遊技装置に限らず、例えばスロットマシン、業務用テレビゲーム機、パチンコ式遊技装置などにも適用できる。
【００２６】
〔遊技システムの構成〕
図１は、本実施の形態における一部を切り欠いた遊技システムを示す正面図である。図２は、遊技装置を省略した遊技システムを示す一部を切り欠いた正面図である。図３は、一部を切り欠いた遊技システムを示す端面図である。図４は、遊技装置を省略した遊技システムを示す一部を切り欠いた平面図である。図５は、島回収手段を示す分解斜視図である。
【００２７】
図１ないし図４において、１００は遊技システムで、この遊技システム１００は、島構造体２００と、遊技装置３００と、遊技媒体貸出装置４００と、遊技媒体搬送装置としての循環手段５００と、を備えている。この遊技システム１００は、「ホール」と称される店舗の床面上に複数の遊技装置３００および遊技媒体貸出装置４００が一体的に設置されて一体の独立構築物に構成されている。
【００２８】
そして、島構造体２００は、例えば木材やアルミニウム合金などにより矩形の枠組み状に構成されている。この島構造体２００の長手方向に対する両側面には、遊技装置３００が嵌挿して閉塞される遊技機窓部２１０と、遊技媒体貸出装置４００が嵌挿して閉塞される貸出機窓部２２０とが、対をなす状態で複数開口形成されている。なお、本実施の形態においては、島構造体２００の両側面に設けられる遊技機窓部２１０および貸出機窓部２２０が同数である場合について説明するが、両側面で数が異なる構造や、ホールの壁際に設けられる一面側にのみ開口する構造としてもよい。そして、この島構造体２００には、遊技装置３００および遊技媒体貸出装置４００に電力を供給する図示しない電源装置が設けられている。また、島構造体２００内には、島回収手段２３０が設けられている。
【００２９】
島回収手段２３０は、図１ないし図５に示すように、複数の回収コンベア２３１と、回収手段としての複数の回収ダクト２３２と、図示しない洗浄手段と、などを備えている。
【００３０】
回収コンベア２３１は、例えば図示しない無端ベルトをコンベアベース２３１Ａとアジャストレール２３１Ｂとにてガイドして回行させるベルトコンベアなどで、遊技媒体としての図示しないコインを搬送可能に長手状に構成されている。そして、回収コンベア２３１には、長手方向の一端部にモータなどの駆動手段２３１Ｃが設けられ、他端部に上方から落下するコインを回収する回収シュート部２３１Ｄが設けられ、島構造体２００内に長手方向に沿って配設されている。具体的には、回収コンベア２３１は、駆動手段２３１Ｃが設けられた搬送方向側の一端部が高い位置となる状態に傾斜し、この高い位置となる端部が搬送方向側に隣接する回収コンベア２３１の回収シュート部２３１Ｄ上に重なり合う状態に連結されて段差状に複数設置されている。そして、回収コンベア２３１は、駆動手段２３１Ｃの駆動により一端側に搬送されて落下するコインが次の回収コンベア２３１の回収シュート部２３１Ｄにて回収されて順次搬送する状態となっている。
【００３１】
回収ダクト２３２は、例えば島構造体２００の遊技装置３００の台数に対応した数で回収コンベア２３１に適宜設けられている。この回収ダクト２３２は、回収部２３２Ａと、蛇腹連結部２３２Ｂと、投入部２３２Ｃと、を備えている。
【００３２】
回収部２３２Ａは、例えば鋼板などにて形成され略四角筒状の筒状部２３２Ａ１を有している。この筒状部２３２Ａ１の軸方向の一端には、軸方向に略沿って拡開する略裁頭角筒状に形成された回収筒部２３２Ａ２が一連に設けられている。さらに、回収筒部２３２Ａ２の拡開する側の開口縁には、外方に向けて舌片状でねじ孔２３２Ａ３を有した取付フランジ部２３２Ａ４が折曲形成されている。また、筒状部２３２Ａ１の回収筒部２３２Ａ２が設けられる側と反対側の開口縁に取付爪部２３２Ａ５が設けられている。
【００３３】
蛇腹連結部２３２Ｂは、例えばゴムや合成樹脂などにて蛇腹円筒状に形成されている。そして、蛇腹連結部２３２Ｂは、一端側が回収部２３２Ａの筒状部２３２Ａ１に取付爪部２３２Ａ５にて取り付けられて、内周面が回収部２３２Ａに連通する状態に連結される。この蛇腹連結部２３２Ｂの他端には、略四角筒状の取付筒部２３２Ｂ１が設けられている。
【００３４】
投入部２３２Ｃは、略枠状の基板部２３２Ｃ１と、この基板部２３２Ｃ１の内周側に内面が連通して連結された投入筒部２３２Ｃ２とを備えている。投入筒部２３２Ｃ２は略四角筒状２３２Ｃに形成され、上端開口に蛇腹連結部２３２Ｂの内周側に内面が連通する状態に蛇腹連結部２３２Ｂの取付筒部２３２Ｂ１を取り付ける連結爪部２３２Ｃ３を有している。基板部２３２Ｃは、回収コンベア２３１のアジャストレール２３１Ｂを支持する支持部材２３１Ｃに設けられた係止爪部２３１Ｃ１が係合する係合孔２３２Ｃ４を有している。そして、投入部２３２Ｃは、基板部２３２Ｃがアジャストレール２３１Ｂにガイドされる無端ベルト上を覆い、無端ベルトの上方に投入筒部２３２Ｃ２が臨む状態に取り付けられる。なお、支持部材２３１Ｃには、投入部２３２Ｃが取り付けられない位置にアジャストレール２３１Ｂの連結や無端ベルトをカバーする蓋として機能させる蓋部材２３１Ｄが取り付けられる。
【００３５】
洗浄手段は、島構造体２００の長手方向の一端に並設する状態に設置され、回収コンベア２３１にて回収するコインを回収し、洗浄して貯留する。この洗浄手段に、回収するコインを計数する計数手段を設けてもよい。
【００３６】
遊技装置３００は、例えばいわゆる「パチスロ」と称される回胴式遊技装置で、図１、図３および図４に示すように、筐体３１０と、この筐体３１０に収容される図示しない遊技ユニットとしての回胴ユニットと、貯留手段としての第１貯留部３２０と、などを備えている。
【００３７】
筐体３１０には、正面側が開口する本体ケース３１１と、この本体ケース３１１に図示しないヒンジ部材や蝶番などにて取り付けられ本体ケース３１１の正面側を開閉可能に閉塞する蓋体３１２とを有している。本体ケース３１１の底面には、下面に連通して開口する図示しない落下口が開口形成されている。また、蓋体３１２には、窓部３１２Ａと、投入孔３１２Ｂと、操作手段３１２Ｃと、受け皿部３１２Ｄと、排出口３１２Ｅと、などが設けられている。窓部３１２Ａは、アクリル板やガラス板などの透光性部材にて正面側から筐体３１０内を視認可能に設けられている。投入孔３１２Ｂは、蓋体３１２に設けられコインが投入可能に上方に向けて開口する状態に設けられている。排出口２１３Ｅは、遊技の結果に基づいて払い出されるコインや返却されるコインなどが排出可能に前方に向けて開口形成されている。
【００３８】
操作手段３１２Ｃは、窓部３１２Ａの下縁近傍に位置配設され遊技の際に利用される複数の操作ボタン３１２Ｃ１やジョイスティックなどの操作つまみなどを有している。そして、操作手段３１２Ｃは、各操作ボタン３１２Ｃ１や操作つまみの入力操作に対応して所定の信号を出力する。受け皿部３１２Ｄは、排出口２１３Ｅを略覆う状態に上方に向けて開口する皿状に構成され、蓋体３１２の例えば下部に設けられている。この受け皿部２１３Ｄは、投入したコインの返却要求により返却されるコイン、あるいは遊技の結果に基づいて払い出されるコインなどを貯留する
【００３９】
回胴ユニットは、周面に複数の絵柄が描画された図示しないリールをそれぞれ独立して回転可能に複数有している。この回胴ユニットは、リールの外周面の一部が蓋体３１２の窓部３１２Ａを介して視認可能に筐体３１０内に収容されている。そして、回胴ユニットは、投入孔３１２Ｂからコインが投入されたことを検出して遊技可能状態となり、操作手段３１２Ｃにて適宜リールを回転および停止させる制御をし、停止した絵柄の組み合わせに対応して所定の信号を出力する。なお、遊技可能状態としては、例えばリールの絵柄をバックライトにより浮かび上がる状態に照光させたり、操作手段３１２Ｃの操作ボタン３１２Ｃ１を操作可能に点灯させたりするなどが例示できる。
【００４０】
第１貯留部３２０は、図１および図２に示すように、投入孔３１２Ｂに投入されるコインを回収するとともに、遊技結果に基づいて貯留するコインを払い出すもので、回胴ユニットの下方に位置して筐体３１０内に収容されている。この第１貯留部３２０は、第１貯留ホッパ３２１と、計数手段３２２と、排出手段３２３と、シュート部３２４と、を備えている。
【００４１】
第１貯留ホッパ３２１は、上方に向けて拡開する筒形状にコインを貯留可能に形成されている。この第１貯留ホッパ３２１にはオーバーフローシュート３２１Ａが設けられ、所定量以上で貯留するコインをオーバーフローシュート３２１Ａにて外部へ排出する。また、第１貯留ホッパ３２１には、所定量以上のコインを貯留しているか否かを検出する図示しないセンサやスイッチなどを備えた第１検出手段が設けられている。
【００４２】
計数手段３２２は、第１貯留ホッパ３２１の下部に設けられ第１貯留ホッパ３２１に貯留するコインを１枚ずつ整列させて計数する。この計数手段３２２は、回胴ユニットからの信号に基づいて所定の枚数を排出手段３２３へ排出する。
【００４３】
排出手段３２３は、図示しないガイドレールなどを有しコインを搬送可能に構成されている。そして、排出手段３２３は、計数手段３２２から排出されるコインを排出口３１２Ｅを介して受け皿部３１２Ｄへ搬送して排出する。
【００４４】
シュート部３２４は、例えば鋼板などにて略四角筒状に形成されている。そして、シュート部は、上端開口が第１貯留ホッパ３２１の下方に位置して開口し、第１貯留ホッパ３２１のオーバーフローシュート３２１Ａからオーバーフローするコインを回収可能で、かつ筐体３１０の落下口に下面開口が連通する状態に筐体３１０内に配設されている。
【００４５】
そして、遊技装置３００は、島構造体２００の遊技機窓部２１０内に正面側が島構造体２００の正面である長手方向に対する側面に望む状態に嵌挿され、筐体３１０が図示しない取付手段にて島構造体２００に固定されて配設される。
【００４６】
遊技媒体貸出装置４００は、図１ないし図４に示すように、ケース体４１０と、図示しない貨幣判別取得手段と、図示しない貸出貯留部としてのコイン貸出機と、払出シュート部４２０と、を有している。ケース体４１０には、蓋部材４１１にて開閉され正面に開口する補給口４１２と、正面の上部に開口する貨幣投入孔４１３と、図示しない貸出口と、背面に開口する図示しない供給口と、を有している。
【００４７】
払出シュート部４２０は、ドーム部４２１と、払出シュート４２２と、を備えている。ドーム部４２１は、ケース体４１０の正面に貸出口を覆う状態に取り付けられる。払出シュート４２２は、ドーム部４２１の頂部近傍に設けられドーム部４２１内に貸出口から払い出されたコインを遊技装置４１０の受け皿部３１２Ｄに投入させる。この払出シュート４２２は、下端部が受け皿部３１２Ｄから離間する状態にドーム部４２１に回胴可能に設けられている。
【００４８】
貨幣判別取得手段は、例えば通常利用されるものと同構成のものが利用され、ケース体４１０内に収容されている。この貨幣判別取得手段は、貨幣投入孔４１３から投入される貨幣を取得し、不良貨幣は貨幣投入孔４１３から返却し、正規の貨幣を貯留可能に構成されている。この貨幣判別取得手段は、貨幣を取得したことを認識すると所定の信号をコイン貸出機へ出力する。そして、貨幣判別取得手段は、適宜交換や保守点検が可能で、貯留する貨幣を正面から取り出し可能にケース体４１０内に配設されている。なお、貨幣判別取得手段は、適宜おつりを返却可能な構成などの機能を有したものでもよい。
【００４９】
コイン貸出機は、第１貯留部３２０と同様の構成でケース体４１０内に収容されている。このコイン貸出機は、図示しない、コインホッパと、貸出部と、シュート部と、を有している。
【００５０】
コインホッパは、上方に向けて拡開する筒状に形成されている。このコインホッパは、ケース体４１０の補給口４１２および供給口より下方に位置してケース体４１０内に配設され、コインホッパの上方におけるケース体４１０の内面とにてコインを貯留可能にケース体４１０内を区画する状態に設けられている。このコインホッパには、所定量以上のコインを貯留しているか否かを検出する図示しないセンサやスイッチなどを備えた第２検出手段が設けられている。
【００５１】
貸出部は、コインホッパの下部に設けられ、コインホッパで貯留するコインを１枚ずつ整列して計数し排出する。この貸出部は、貨幣判別取得装置からの信号を認識することにより、所定枚数のコインを排出するとともに、排出した枚数に関する信号を出力する。
【００５２】
シュート部は、貸出部から排出されるコインをケース体４１０の貸出口に案内する。この貸出口に案内されたコインは、払出シュート部４２０を介して遊技装置３００の受け皿部３１２Ｄへ投入される。
【００５３】
循環手段５００は、図１ないし図４に示すように、島構造体２００内に遊技装置３００の下方に位置して遊技装置３００の数に対応して同数収容されている。これら循環手段５００は、貯留部としての貯留ホッパ５１０と、搬送手段５２０と、を備えている。
【００５４】
貯留ホッパ５１０は、第１貯留部３２０の第１貯留ホッパ３２１およびコインホッパと同様に、上下面を開口する筒形状に形成されている。すなわち、貯留ホッパ５１０は、例えば鋼板などにて上方に向けて拡開する四角筒状で平面視で長方形状に形成されている。この貯留ホッパ５１０は、長手方向の側面に、側方に向けて開口する排出手段としてのコイン排出口５１１を有している。そして、貯留ホッパ５１０には、コイン排出口５１１を覆い内面がコイン排出口５１１に連通する状態に島回収手段２３０の回収ダクト２３２の回収部２３２Ａがねじ２３２Ａ６などにて取り付けられる。さらに、貯留ホッパ５１０の上面開口の周縁には、外方に向けて突出する図示しないフランジ部が設けられている。そして、貯留ホッパ５１０は、遊技装置３００の落下口を下方から覆う状態で、かつ回収ダクト２３２が取り付けられる状態に、フランジ部にて島構造体２００の図示しない構造物に取り付けられている。
【００５５】
搬送手段５２０は、貯留ホッパに貯留するコインを遊技媒体貸出装置４００へ搬送するものである。そして、搬送手段５２０は、貯留受け皿部５２１と、整列手段５２２と、送り出し部５２３と、補給シュート部５２４と、を備えている。
【００５６】
貯留受け皿部５２１は、例えば硬質ゴムや合成樹脂などにて形成され、平面視で貯留ホッパ５１０と略同形状の長方形となる四角筒状にコインを貯留可能に形成されている。この貯留受け皿部５２１の上端開口に貯留ホッパ５１０の下端部が嵌挿する状態となっている。
【００５７】
整列手段５２２は、例えば第１貯留部３２０の計数手段３２２やコイン貸出機の貸出部と同様に、貯留ホッパ５１０および貯留受け皿部５２１内に貯留するコインを１枚ずつ整列して排出する。この整列手段５２２は、遊技媒体貸出装置４００のコイン貸出機の第２検出手段から出力される所定の信号、すなわち貯留するコインが所定量以下である旨の信号を認識すると、第２検出手段から出力される所定の信号、すなわち貯留するコインが所定量以上である旨の信号を認識するまでコインを排出させる。
【００５８】
送り出し部５２３は、上下方向に長手状にコインを上方へ搬送する例えばコンベアにて構成されている。この送り出し部５２３は、遊技媒体貸出装置４００の外側側面側に配設、すなわち遊技媒体貸出装置４００と対をなす遊技装置ではない隣接する他の遊技装置３００との間に位置する状態で、搬送するコインの平面が遊技媒体貸出装置４００の側面に対向する状態に配設されている。そして、送り出し部５２３は、整列手段５２２から排出されるコインを略下端にて取得して上方へ搬送し上端から排出する。
【００５９】
補給シュート部５２４は、シュート状に形成され、送り出し部５２３の上端部に設けられている。この補給シュート部５２４は、送り出し部５２３から排出されるコインを受け取り、遊技媒体貸出装置４００のケース体４１０の背面に開口する供給口へ投入させる。すなわち、補給シュート部５２４は、送り出し部５２３が上端部から後方に向けて排出するコインを受け取り、遊技媒体貸出装置４００の側面から背面側に案内する湾曲した形状に形成されている。
【００６０】
〔遊技システムの動作〕
次に、上記設置した遊技システムの動作について説明する。
【００６１】
まず、店舗において、開店前に前準備をしておく。すなわち、遊技媒体貸出装置４００の補給口からコインを投入してコインホッパにほぼ一杯にコインを貯留させておくとともに、遊技装置３００の第１貯留部３２０の第１貯留ホッパ３２１にコインをほぼ一杯に貯留させておく。
【００６２】
そして、遊技者は、遊技媒体貸出装置４００の貨幣投入孔４１３から所定の貨幣、例えば紙幣を投入する。この紙幣の投入により、遊技媒体貸出装置４００の貨幣判別取得手段が投入された紙幣を取得し、不良紙幣か否かを判断する。そして、貨幣判別取得手段は、不良紙幣であると判断した場合、再び貨幣投入孔４１３から投入された不良紙幣を返却する。一方、貨幣判別取得手段は、不良紙幣ではない、すなわち正規の紙幣であると判断した場合、取得した紙幣を内部に貯留するとともに、紙幣を取得した旨の信号を出力する。なお、貨幣としては、紙幣に限らず硬貨などでもよい。
【００６３】
そして、貨幣判別判別手段から紙幣を取得した旨の信号が出力されたことを遊技媒体貸出装置４００のコイン貸出機が認識すると、所定枚数の遊技媒体であるコインを１枚ずつ払出シュート部４２０を介して遊技装置３００の受け皿部３１２Ｄへ払い出す。この払い出されたコインを、遊技者が遊技装置３００の投入孔３１２Ｂから投入する。この投入されたコインは、図示しないガイド手段にて案内されて第１貯留部３２０の第１貯留ホッパ３２１に投下される。このコインの投入の際、回胴ユニットは、コインが投入されたことを検出、例えばガイド手段に設けられたスイッチにて検出し、遊技可能状態となる。なお、投入されたコインが不良コインである場合、例えば遊技可能状態となることなく不良コインを受け皿部３１２Ｄへ返却する。
【００６４】
この遊技可能状態を認識した遊技者が、操作手段３１２Ｃの各操作ボタン３１２Ｃ１を適宜操作し、リールを回転させるとともに適宜停止させる。この操作により、回胴ユニットは、停止したリールの状態、すなわち窓部３１２Ａに臨む絵柄の状態により所定の枚数のコインを払い出すための信号を第１貯留部３２０へ出力する。この払出要求の信号を認識した第１貯留部３２０は、計数手段３２２を適宜動作させ所定枚数のコインを排出手段３２３を介して受け皿部３１２Ｄへ排出させて払い出す。このコイン投入および操作手段３１２Ｃの操作が繰り返されて遊技が継続される。
【００６５】
ここで、遊技媒体貸出装置４００からのコインの貸出を受けて遊技を継続する状況では、第１貯留部３２０で貯留するコインの払い出される数量より、貸し出したコインが多いために第１貯留部３２０で貯留する数量が多い状態である。このため、遊技のために投入されたコインは、第１貯留部３２０の第１貯留ホッパ３２１で貯留できなくなり、オーバーフローシュート３２１Ａからシュート部３２４へオーバーフローする。さらに、シュート部３２４へ投入されたコインは、落下口を介して遊技装置３００外へ排出され、循環手段５００の貯留ホッパ５１０に回収され、貯留ホッパ５１０および貯留受け皿部５２１で区画する空間内に貯留される。
【００６６】
そして、遊技が進行し遊技媒体貸出装置４００からある程度以上でコインを貸し出すと、遊技媒体貸出装置４００に貯留するコインの数量が減少し、第２検出手段が貯留するコインが所定量以下になったことを検出して所定量以下である旨の信号を出力する。この信号を循環手段５００の整列手段５２２が認識すると、オーバーフローにて貯留ホッパ５１０および貯留受け皿部５２１に貯留されたコインを送り出し部５２３へ、第２検出手段から貯留するコインが所定量以上である旨の信号を認識するまで送り出す。このことにより、店員がコインを遊技媒体貸出装置４００へ供給する作業をすることなく、遊技者による遊技が継続される。
【００６７】
一方、遊技を開始当初から遊技内容に基づく払出が継続すると、投入されるコインの数量より第１貯留部３２０から払い出されるコインの数量が多くなり、第１貯留部３２０で貯留するコインの数量が減少する。そして、第１貯留部３２０の第１検出手段が貯留するコインが所定量以下になったことを検出して所定量以下である旨の信号を出力する。この信号により、別途設けられた図示しない報知手段にて店員が所定の遊技装置３００の貯留するコインが少なくなったことを認識する。なお、遊技者による呼び出し要求に基づいて貯留するコインが少なくなったことを店員が認識するようにするなどしてもよい。そして、店員は、遊技装置３００の蓋体３１２を開いて第１貯留部３２０へ補給する。
【００６８】
また、他の遊技装置３００で遊技していた遊技者がコインを持ち込んで遊技する場合で、遊技の結果に基づいて払い出すコインの数量が投入するコインの数量より少ない状況では、オーバーフローして循環手段５００の貯留ホッパ５１０および貯留受け皿部５２１に順次貯留される。そして、貯留ホッパ５１０および貯留受け皿部５２１における貯留可能数量より多くオーバーフローしたコインは、貯留ホッパ５１０のコイン排出口５１１からさらにオーバーフローし、島回収手段２３０の回収ホッパ２３２に回収される。そして、回収ホッパ２３２に回収されたコインは、回収コンベア２３１に投下され、回収コンベア２３１にて洗浄手段に搬送され、洗浄されて貯留される。
【００６９】
〔遊技システムの作用効果〕
上述したように、上記実施の形態では、遊技の実行のために投入されたコインを貯留するとともに遊技の実行結果に基づいて貯留するコインを適宜排出する遊技装置３００の第１貯留部３２０からオーバーフローするコインを貯留ホッパ５１０で回収して貯留し、この貯留ホッパ５１０で貯留するコインを搬送手段５２０により遊技媒体貸出装置４００のコインホッパへ搬送する。このため、例えば遊技のためのコインの貸出が継続して遊技媒体貸出装置４００で貯留するコインの残量が少なくなっても補充する手間を省くことができ、遊技媒体貸出装置４００への補充の際に、遊技者が補充分を遊技に費やしたという心証を害する店員による補充作業が省くことができ、店員の労力を低減できる。また、遊技装置３００からの払出で貯留するコインの残量が少なくなった場合、店員がコインを補充することで遊技が継続でき、このとき遊技者はコインを多く獲得しているので補充により遊技が中断しても心証を害することはない。さらに、不正により異常にコインが払い出される状態では店員によるコインの補充の回数が増えることとなるため、不正を監視するための監視システムを設けなくても不正を監視することが可能となり、コインを自動で供給するシステムで島全体のコインが不正行為で抜き取られる状態を防止できる。
【００７０】
特に、対をなす遊技装置３００および遊技媒体貸出装置４００を曲面上に略並列に設置する、角部であるホールの隅に曲面上に設置、あるいは曲面状の壁面に沿って設置させるためなどの曲面構造の島構造体２００に用いている。このため、隣り合う遊技装置３００と遊技媒体貸出装置４００との間の距離を比較的に広く設計される島構造であることから、貯留ホッパ５１０および搬送手段５２０の設置のための設計、特に送り出し部５２３の配置が容易で、例えば島構造体２００における遊技者の足下に対応する部分の空き領域を効率よく利用して循環手段５００を設置することが容易にできる。
【００７１】
そして、貯留ホッパ５１０を島構造体２００内で遊技装置３００の第１貯留部３２０の下方に位置して配設し、搬送手段５２０として貯留ホッパ５１０に貯留するコインを上方へ搬送するコンベアを用い、島構造体２００に配設された遊技媒体貸出装置４００と隣接する他の遊技装置３００との間に配設し、上端部に搬送したコインを遊技媒体貸出装置４００の側面から背面へ案内して補給シュート部５２４にて供給する。このため、複数の遊技装置３００および遊技媒体貸出装置４００が設置される島構造体２００においても、コインを返送して循環させるための構成が島構造体２００内の空間を有効利用して設置できる。特に、遊技装置３００および遊技媒体貸出装置４００の設置間隔が比較的に狭くなる略矩形構造物において内部空間を有効利用して設置できる。
【００７２】
また、遊技媒体貸出装置４００に設けられ貯留するコインの量に関する信号を出力する第２検出信号から、コインの貯留する量が所定量以下である旨の信号を認識すると、搬送手段５２０の整列手段５２２がコインを搬送する。このため、遊技媒体貸出装置４００から遊技のために貸し出されるコインの貸出量に対応してコインが返送される状態となり、不正によるコインの抜き取りを監視可能な状態でコインの供給が簡単な構成で容易に自動化でき、遊技者の心証を害することなく適切なコインの供給ができる。
【００７３】
さらに、貯留可能量を超えて第１貯留部３２０の第１貯留ホッパ３２１からオーバーフローするコインを貯留ホッパ５１０のコイン排出口５１１からオーバーフローさせ、島構造体２００に設置した島回収手段２３０における各循環手段５００に対応して設けた各回収ダクト２３２にてそれぞれ回収し、各回収ダクト２３２にて回収したコインを回収コンベア２３１にて取得して島構造体２００の長手方向における一端側である１箇所へ搬送する島回収手段２３０を島構造体２００に設ける。このため、仮に他の遊技装置３００からコインが持ち込まれて貯留可能量を超えてコインが投入されても、島回収手段３２０にて島構造体２００の１箇所で回収することで、遊技者の心証を害することなくコインを回収でき、補給する場合には１箇所へ搬送されて洗浄手段で回収したコインを利用すればよく、不正の監視が可能な簡単な構成で遊技媒体の補給・回収性を向上できる。
【００７４】
〔他の実施の形態〕
なお、本発明の遊技システム１００において、上述した一実施の形態にのみ限定されるものではなく、本発明の要旨を逸脱しない範囲内において種々変更を加え得ることは勿論である。
【００７５】
例えば、遊技システム１００に回収コンベア２３１および回収ダクト２３２を備えた島回収手段２３０を設けて説明したが、この構成に限られない。また、島回収手段２３０を設けなくてもよい。なお、島回収手段２３０を設けない構成では、コイン排出口５１１を設けなくてよい。
【００７６】
そして、島構造体２００の長手方向における両側面に遊技装置３００および遊技媒体貸出装置４００を設置して説明したが、例えば一側面側のみに遊技装置３００および遊技媒体貸出装置４００を設置する店舗の壁面６０１に沿って設置される島構造体６１０も適用できる。
【００７７】
また、上述したように遊技装置３００として回胴式遊技装置に限らず、例えばスロットマシン、業務用テレビゲーム機、パチンコ式遊技装置などにも適用でき、遊技としてリールの回胴により絵柄を合わせるものに限られるものではない。なお、パチンコ式遊技装置では、パチンコ玉が遊技媒体となる。
【００７８】
そして、遊技媒体搬送装置としては、貯留部５１０および搬送手段５２０の構成に限らず、遊技装置３００の第１貯留部３２０からオーバーフローする遊技媒体を回収して貯留するとともに、適宜遊技媒体貸出装置４００へ適宜搬送して補給させるいずれの構成でもできる。
【００７９】
その他、本発明の実施の際の具体的な構造および手順などは、本発明の目的を達成できる範囲で他の構成に変更するなどしてもよい。
【００８０】
【発明の効果】
本発明によれば、遊技の実行のために投入される遊技媒体を貯留するとともに遊技の実行結果に基づいて貯留する遊技媒体を適宜排出させる貯留手段で貯留限界を超えて投入される遊技媒体はオーバーフローさせ、別の貯留部にて回収して貯留し、搬送手段にてこの貯留部に貯留する遊技媒体を遊技媒体貸出装置へ適宜搬送するため、遊技のための遊技媒体貸出装置からの貸出量が増大して貯留量が減少しても、貯留手段からオーバーフローした遊技媒体が搬送手段にて搬送されて補給され、遊技媒体を補充する手間が省略され、貯留手段からの排出量が増大して貯留手段に補給する場合、遊技者の心証を害することなく補充でき、不正により異常にコインが排出されることを監視することが可能となり、監視システムなどの特別の構成を設ける必要がなく、遊技媒体を供給する自動化システムにおける不正による島全体の遊技媒体の抜き取りも防止できる。
【図面の簡単な説明】
【図１】本発明の一実施の形態における遊技システムを示す一部を切り欠いた正面図である。
【図２】前記一実施の形態における遊技装置を省略した遊技システムを示す一部を切り欠いた正面図である。
【図３】前記一実施の形態における一部を切り欠いた遊技システムを示す端面図である。
【図４】前記一実施の形態における遊技装置を省略した遊技システムを示す一部を切り欠いた平面図である。
【図５】前記一実施の形態における島回収手段を示す側面図である。
【符号の説明】
１００        遊技システム
２００        島構造体
２３０        島回収手段
２３１        回収コンベア
２３２        回収手段としての回収ダクト
３００        遊技装置
３１０        筐体
３１２Ｂ      投入孔
３１２Ｅ      排出口
３２０        貯留手段としての第１貯留部
４００        遊技媒体貸出装置
４１０        ケース体
４１３        貨幣投入孔としての紙幣投入孔
５００        遊技媒体搬送装置としての循環手段
５１０        貯留部としての貯留ホッパ
５１１        排出手段としてのコイン排出口
５２０        搬送手段
５２４        補給シュート部
【図１】
2005000591.tif 000003
【図２】
2005000591.tif 000004
【図３】
2005000591.tif 000005
【図４】
2005000591.tif 000006
【図５】
2005000591.tif 000007